(57)【要約】【課題】本発明の身飾品は、丸環を取り付けた装身具本体と、前記丸環に連結される丸環を取り付けた宝石収容部とを前記丸環どうしで連結する構造であって、連結部分の丸環に工夫をこらすことによって宝石の小刻みな揺動に変化を持たせ、宝石を小刻みにかつ不規則に揺動させることができる身飾品を提供することを目的とする。【解決手段】この発明の身飾品は、丸環を取り付けた装身具本体と、宝石を収納し、かつ適所に丸環を取り付けた宝石収容部とを備え、前記宝石収容部が揺動するように前記各丸環どうしを連結した身飾品において、前記装身具本体の丸環ないし前記宝石収容部の丸環のいずれかの内径部分に、該丸環の長さ方向に沿って所定深さの凹みを形成したことを特徴とするものである。【選択図】図１
2015062491.tif 000002
【特許請求の範囲】
【請求項１】
丸環を取り付けた装身具本体と、宝石を収納し、かつ適所に丸環を取り付けた宝石収容部とを備え、前記宝石収容部が揺動するように前記各丸環どうしを連結した身飾品において、
前記装身具本体の丸環ないし前記宝石収容部の丸環のいずれかの内径部分に、該丸環の長さ方向に沿って所定深さの凹みを形成したことを特徴とする身飾品。
【請求項２】
丸環を取り付けた装身具本体と、宝石を収納し、かつ適所に丸環を取り付けた宝石収容部とを備え、前記宝石収容部が揺動するように前記各丸環どうしを連結した身飾品において、
前記装身具本体の丸環ないし前記宝石収容部の丸環のいずれかの内径部分に、該丸環の長さ方向に沿って所定深さの凹みを形成するとともに、前記装身具本体の丸環ないし前記宝石収容部の丸環の対応部位を、前記内径部分との接触面を小さくするためにテーパ状断面としたことを特徴とする身飾品。
【請求項３】
前記装身具本体の丸環ないし前記宝石収容部の丸環のいずれかの内径部分に形成した所定深さの凹みが、円弧状の輪郭をなしていることを特徴とする請求項１または２に記載の身飾品。
【請求項４】
前記装身具本体の丸環ないし前記宝石収容部の丸環のいずれかの内径部分に形成した所定深さの凹みが、有底の凹部状の輪郭をなしていることを特徴とする請求項１または２に記載の身飾品。
【発明の詳細な説明】
【技術分野】
【０００１】
本発明は、宝石を収納した宝石収容部が小刻みに揺動する身飾品に関するものである。
【背景技術】
【０００２】
従来、ＷＯ２００３／０７７６９９（特許文献１参照）や特開２０１３−１６３０３９号公報（特許文献２参照）のように、ダイヤモンド等の宝石を収納した宝石収容部を揺動可能に支持する指輪等がある。このように宝石を揺動させることで、揺動させない場合に比べて宝石をより輝いて見せることができる。
【先行技術文献】
【特許文献】
【０００３】
【特許文献１】ＷＯ２００３／０７７６９９
【特許文献２】特開２０１３−１６３０３９号公報
【発明の概要】
【発明が解決しようとする課題】
【０００４】
ところで、上述のようなダイヤモンド等の宝石を収納した宝石収容部を揺動可能に支持する指輪等においては、所定の間隔で丸環を取り付けた装身具本体と、宝石を収納し、かつ適所に前記丸環に対応する位置に丸環を取り付けた宝石収容部とを、前記丸環どうしで連結することによって宝石が小刻みに揺動するようになっている。
上述のように構成することによって、宝石が小刻みに揺動する指輪等が得られるのであるが、前記丸環どうしで連結しているために結局は律動的であって、その動きに変化が乏しく見えてしまうという問題があった。
【０００５】
本発明は以上のような問題を解消するためになされたものであり、上述のように丸環を取り付けた装身具本体と、前記丸環に連結される丸環を取り付けた宝石収容部とを前記丸環どうしで連結する構造であって、連結部分の丸環に工夫をこらすことによって宝石の小刻みな揺動に変化を持たせ、宝石を小刻みにかつ不規則に揺動させることができる身飾品を提供することを目的とする。
【課題を解決するための手段】
【０００６】
上述した従来技術の問題点を解決するために本発明の身飾品は、丸環を取り付けた装身具本体と、宝石を収納し、かつ適所に丸環を取り付けた宝石収容部とを備え、前記宝石収容部が揺動するように前記各丸環どうしを連結した身飾品において、
前記装身具本体の丸環ないし前記宝石収容部の丸環のいずれかの内径部分に、該丸環の長さ方向に沿って所定深さの凹みを形成したことを特徴とするものである。
【０００７】
また本発明の身飾品は、丸環を取り付けた装身具本体と、宝石を収納し、かつ適所に丸環を取り付けた宝石収容部とを備え、前記宝石収容部が揺動するように前記各丸環どうしを連結した身飾品において、
前記装身具本体の丸環ないし前記宝石収容部の丸環のいずれかの内径部分に、該丸環の長さ方向に沿って所定深さの凹みを形成するとともに、前記装身具本体の丸環ないし前記宝石収容部の丸環の対応部位を、前記内径部分との接触面を小さくするためにテーパ状断面としたことをも特徴とするものである。
【０００８】
本発明の身飾品においては、前記装身具本体の丸環ないし前記宝石収容部の丸環のいずれかの内径部分に形成した所定深さの凹みが、円弧状の輪郭をなしていることをも特徴とするものである。
【０００９】
本発明の身飾品においては、前記装身具本体の丸環ないし前記宝石収容部の丸環のいずれかの内径部分に形成した所定深さの凹みが、有底の凹部状の輪郭をなしていることをも特徴とするものである。
【発明の効果】
【００１０】
本発明は以上のよう構成することにより、丸環を取り付けた装身具本体と、前記丸環に連結される丸環を取り付けた宝石収容部とを前記丸環どうしで連結する構造であって、かつ前記装身具本体の丸環ないし前記宝石収容部の丸環のいずれかの内径部分に、該丸環の長さ方向に沿って所定深さの凹みを形成したことによって宝石の小刻みな揺動に変化を持たせ、宝石を小刻みにかつ不規則に揺動させることができる身飾品を提供することが可能となった。
【図面の簡単な説明】
【００１１】
【図１】本発明の身飾品をネックレスに適用した実施例を示す正面図である。
【図２】その背面図である。
【図３】その側面図である。
【図４】その斜視図である。
【図５】その要部拡大正面図である。
【図６】その断面図である。
【図７】その要部拡大側面図である。
【図８】その断面図である。
【図９】本発明の身飾品をイヤリングに適用した実施例を示す正面図である。
【図１０】その側面図である。
【図１１】宝石収容部を装身具本体に取り付ける前の段階を示す正面図である。
【図１２】その側面図である。
【図１３】その斜視図である。
【図１４】要部拡大正面図である。
【図１５】前記実施例の変形例を示す要部拡大正面図である。
【図１６】他の実施例を示す要部拡大正面図である。
【図１７】その要部拡大断面図である。
【図１８】その変形例を示す要部拡大断面図である。
【図１９】丸環どうしの挙動を示す概略平面図である。
【発明を実施するための形態】
【００１２】
以下、図面に基いて本発明の身飾品の実施形態を説明する。
＜第１実施形態＞
図１は本発明の身飾品をネックレスに適用した第１の実施例を示す正面図、図２はその背面図、図３はその側面図、図４はその斜視図、図５はその要部拡大正面図、図６はその断面図、図７は変形例の要部拡大側面図、図８はその断面図である。
すなわち、図１ないし図６において、本実施例のネックレス１０は丸環１２を同じ向きに取り付けた装身具本体を構成するネックレス本体１１と、宝石１４を収納し、かつ適所に丸環１５を取り付けた宝石収容部１３とを備えており、かつ前記宝石収容部１３が揺動するように前記各丸環１２，１５どうしを連結したものである。
【００１３】
なお、図１ないし図４において１１ａは宝石であり、爪１１ｂ等によって装身具本体１１の表面に適宜配置されている。
また、１６ａ，１６ｂは装身具本体１１の背面上部に突出するよう左右対称に取り付けたチェーンＣを挿通する吊下げ枠、１６ｃはネックレス本体１１の背面下部に前記チェーン挿通枠の突出部分と同じ幅になるよう取り付けたスペーサである。
【００１４】
そしてこのように構成したネックレス１０において、前記ネックレス本体１１の丸環１２に取り付ける前記宝石収容部１３の丸環１５の内径部分に、該丸環１５の長さ方向に沿って所定深さの凹み１５ａを形成している。
本実施例のネックレス１０において、前記ネックレス本体１１の丸環１２に取り付ける前記宝石収容部１３の丸環１５の内径部分に形成した所定深さの凹み１５ａは、円弧状の輪郭をなしていることが望ましい。
本実施例において、前記宝石収容部１３の丸環１５の内径部分に形成した所定深さの凹み１５ａ部分をテーパ状断面としている。
もちろん、図７および図８に示すように、前記ネックレス本体１１の丸環１２の宝石収容部１３の丸環１５を取り付ける内径部分もテーパ状断面Ｔとすることができる。
こうすることによって、図１ないし図８に示すように、丸環１２（テーパ状断面）の内径部分において前記宝石収容部１３の丸環１５のテーパ状断面の凹み１５ａは、凹み１５ａの長さ方向に移動することは勿論、細幅に形成されている凹み１５ａの側面で回動する方向（ひねり方向）にも挙動する。
したがって、宝石１４の小刻みな揺動に、さらに複雑な変化をもたらすことが可能となる。
なお、図１ないし図８における本実施例においては、ネックレス本体１１に対して丸環１２を同じ向きに取り付けているが、ネックレス本体１１に対する丸環１２の取付方向を直角、あるいはその他の角度としてもよいことは勿論である。
【００１５】
以下、図面に基いて本発明の身飾品の実施形態を説明する。
＜第２実施形態＞
図９は本発明の身飾品をイヤリングに適用した第２の実施例を示す正面図、図１０はその側面図、図１１は宝石収容部をイヤリング本体に取り付ける前の段階を示す正面図、図１２はその側面図、図１３はその斜視図、図１４は要部拡大正面図である。
すなわち、本実施例のイヤリング２０は丸環２２を取り付けた装身具本体を構成するイヤリング本体２１と、宝石２４を収納し、かつ適所に丸環２５を取り付けた宝石収容部２３とを備えており、かつ前記宝石収容部２３が揺動するように前記各丸環２２，２５どうしを連結したものである。
そしてこのように構成したイヤリング２０において、前記イヤリング本体２１の丸環２２における前記宝石収容部２３の丸環２５を取り付ける内径部分に、該丸環２２の長さ方向に沿って所定深さの凹み２２ａを形成している。
【００１６】
本実施例のイヤリング２０において、前記イヤリング本体２１の丸環２２における前記宝石収容部２３の丸環２５を取り付ける内径部分に形成した所定深さの凹み２２ａは、円弧状の輪郭をなしていることが望ましい。
また、図１５に示すように、前記イヤリング本体２１の丸環２２における宝石収容部２３の丸環２５を取り付ける内径部分に形成した所定深さの凹み２２ｂとして、有底の凹部状の輪郭をなしていることもできる。
もちろん、前記凹み２２ａ、２２ｂ等の輪郭として、円弧状や有底の凹部状以外の、波形その他の適宜輪郭を採用してもよい。
【００１７】
＜第３実施形態＞
図１６は本発明の身飾品をイヤリングに適用した第３の実施例を示す正面図、図１７はその要部拡大断面図である。
第３の実施例のイヤリングも、丸環３２を取り付けたイヤリング本体（図示省略）３１と、宝石３４を収納し、かつ適所に丸環３５を取り付けた宝石収容部３３とを備えており、かつ前記宝石収容部３３が揺動するように前記各丸環３２，３５どうしを連結したものである。
そしてこのように構成したイヤリングにおいて、前記イヤリング本体３１の丸環３２における前記宝石収容部３３の丸環３５を取り付ける内径部分に、該丸環３２の長さ方向に沿って所定深さの凹み３２ａを形成した点は上記実施例と同様である。
【００１８】
本実施例においては、前記イヤリング本体３１の丸環３２に形成した所定深さの凹み３２ａにおける、前記宝石収容部３３の丸環３５の対応部位３５ａをテーパ状断面Ｔとしている。
こうすることによって、前記イヤリング本体３１の丸環３２の内径部分の凹み３２ａと、前記宝石収容部３３の丸環３５の対応部位３５ａのテーパ状断面Ｔとの接触面は非常に小さくなり、宝石３４の小刻みな揺動に変化を持たせるばかりか、よりスムーズに宝石３４を小刻みにかつ不規則に揺動させることができる身飾品を提供できるようになった。
【００１９】
前記宝石収容部３３の丸環３５の内径部分に形成したテーパ状断面Ｔの対応部位３５ａは、前記凹み３２ａに当接する位置に部分的に形成しても、また丸環３５の内径部分の全周に形成してもよい。
【００２０】
図１８はさらにその変形例を示すものであり、両方の丸環４２、４５が互いに係合する凹み４２ａおよび対応部位４５ａのそれぞれを、テーパ状断面としたものである。
こうすることによって、図１９に示すように丸環４２の凹み４２ａ（テーパ状断面）内において前記宝石収容部の丸環４５のテーパ状断面の対応部位は、凹み４２ａの長さ方向に移動することは勿論、細幅に形成されている凹み４２ａの側面で回動する方向（円弧状矢印）にも挙動する。
したがって、宝石の小刻みな揺動に、さらに複雑な変化をもたらすことが可能となる。
【産業上の利用可能性】
【００２１】
本発明は、宝石を支持する支持部材が揺動できるようにした種々の身飾品に適用可能である。
また、前記実施例においてはネックレスやイヤリングに適用した場合を例示したが、ネックレスやイヤリング以外の各種の身飾品に適用できることはいうまでもない。
さらに、装身具本体と宝石を収納した宝石収容部に取り付ける丸環の数も１個には限られず、所定間隔で一対、あるいはそれ以上の数の丸環を取り付けることができる。
【符号の説明】
【００２２】
１０  ネックレス
１１  ネックレス本体
１１ａ  宝石
１１ｂ  爪
１２  丸環
１３  宝石収容部
１４  宝石
１５  丸環
１５ａ  凹み
１６ａ，１６ｂ  吊下げ枠
１６ｃ  スペーサ
Ｃ  チェーン
Ｔ  テーパ状断面
２０  イヤリング
２１  イヤリング本体
２２  丸環
２２ａ，２２ｂ  凹み
２３  宝石収容部
２４  宝石
２５  丸環
２５ａ  凹み
３１  イヤリング本体
３２  丸環
３２ａ  凹み
３３  宝石収容部
３４  宝石
３５  丸環
３５ａ  凹み
Ｔ  テーパ状断面
４２  丸環
４２ａ  凹み
４５  丸環
４５ａ  対応部位
【図１】
2015062491.tif 000003
【図２】
2015062491.tif 000004
【図３】
2015062491.tif 000005
【図４】
2015062491.tif 000006
【図５】
2015062491.tif 000007
【図６】
2015062491.tif 000008
【図７】
2015062491.tif 000009
【図８】
2015062491.tif 000010
【図９】
2015062491.tif 000011
【図１０】
2015062491.tif 000012
【図１１】
2015062491.tif 000013
【図１２】
2015062491.tif 000014
【図１３】
2015062491.tif 000015
【図１４】
2015062491.tif 000016
【図１５】
2015062491.tif 000017
【図１６】
2015062491.tif 000018
【図１７】
2015062491.tif 000019
【図１８】
2015062491.tif 000020
【図１９】
2015062491.tif 000021